【手続補正書】
【提出日】平成23年3月25日(2011.3.25)
【手続補正１】
【補正対象書類名】特許請求の範囲
【補正対象項目名】全文
【補正方法】変更
【補正の内容】
【特許請求の範囲】
【請求項１】
第１の電力モードと当該第１の電力モードより消費電力が少ない第２の電力モードとを備える情報処理装置であって、
第１のプログラム及び第２のプログラムを記憶する不揮発性のプログラム記憶手段と、
前記プログラム記憶手段から第１の記憶手段にロードされた前記第１のプログラムを実行する第１の演算手段と、
前記プログラム記憶手段から揮発性の第２の記憶手段にロードされた前記第２のプログラムを実行する第２の演算手段と、
前記第２の電力モードへ移行するための条件が成立した場合に、前記第２のプログラムを前記第２の記憶手段から前記第１の記憶手段に転送する転送手段と、
前記転送手段により前記第２のプログラムが前記第１の記憶手段に転送された後に、前記第２の記憶手段への電力供給を停止して前記情報処理装置を前記第２の電力モードへ移行させる制御手段とを有し、
前記第１の電力モードへ復帰するための条件が成立した場合に、
前記制御手段は、前記第２の記憶手段への電力の供給を再開して前記情報処理装置を前記第１の電力モードへ移行させ、
前記転送手段は、前記第１の記憶手段に記憶された前記第２のプログラムを前記第２の記憶手段に転送し、
前記第２の演算手段は、前記第２のプログラムが前記第２の記憶手段に転送されたことに応じて、前記第２のプログラムを実行することを特徴とする情報処理装置。
【請求項２】
前記第１の演算手段による前記第１の記憶手段へのアクセス速度は、前記第１の演算手段による前記プログラム記憶手段へのアクセス速度より高く、
前記第２の演算手段による前記第２の記憶手段へのアクセス速度は、前記第２の演算手段による前記プログラム記憶手段へのアクセス速度より高いことを特徴とする請求項１に記載の情報処理装置。
【請求項３】
前記第１の記憶手段に記憶された前記第２のプログラムを前記第２の記憶手段に転送するのに要する時間は、前記プログラム記憶手段に記憶された前記第２のプログラムを前記第２の記憶手段にロードするのに要する時間より短いことを特徴とする請求項１又は２に記載の情報処理装置。
【請求項４】
前記プログラム記憶手段は、前記第１のプログラムを記憶する第１のプログラム記憶部と前記第２のプログラムを記憶する第２のプログラム記憶部とを含み、
前記第１の演算手段は、前記第１のプログラム記憶部から前記第１の記憶手段に前記第１のプログラムをロードし、
前記第２の演算手段は、前記第２のプログラム記憶部から前記第２の記憶手段に前記第２のプログラムをロードすることを特徴とする請求項１乃至３のいずれか１項に記載の情報処理装置。
【請求項５】
前記第１のプログラム及び前記第２のプログラムは、圧縮された状態で前記プログラム記憶手段に記憶されており、
前記第１の演算手段は、前記圧縮された状態で記憶された前記第１のプログラムを伸張した上で前記第１の記憶手段に前記第１のプログラムをロードし、
前記第２の演算手段は、前記圧縮された状態で記憶された前記第２のプログラムを伸張した上で前記第２の記憶手段に前記第２のプログラムをロードすることを特徴とする請求項１乃至４のいずれか１項に記載の情報処理装置。
【請求項６】
前記第１の記憶手段は、揮発性の記憶手段であり、
前記制御手段は、前記転送手段により前記第２のプログラムが前記第１の記憶手段に転送された後に、前記第１の記憶手段への電力供給を維持する一方で前記第２の記憶手段への電力供給を停止するよう制御することを特徴とする請求項１乃至５のいずれか１項に記載の情報処理装置。
【請求項７】
前記第１の演算手段は、前記第１の電力モードへ復帰するための条件が成立した場合に、前記第１の記憶手段に記憶された前記第１のプログラムを実行することを特徴とする請求項１乃至６のいずれか１項に記載の情報処理装置。
【請求項８】
第１の電力モードと当該第１の電力モードより消費電力が少ない第２の電力モードとを備える情報処理装置であって、
第１のプログラム及び第２のプログラムを記憶する不揮発性のプログラム記憶手段と、
前記プログラム記憶手段から第１の記憶手段にロードされた前記第１のプログラムを実行する第１の演算手段と、
前記プログラム記憶手段から揮発性の第２の記憶手段にロードされた前記第２のプログラムを実行する第２の演算手段と、
前記第２の電力モードへ移行するための条件が成立した場合に、前記第２の記憶手段に記憶された前記第２のプログラムを含むハイバーネーションイメージを前記プログラム記憶手段に転送する転送手段と、
前記転送手段により前記ハイバーネーションイメージが前記プログラム記憶手段に転送された後に、前記第２の記憶手段への電力供給を停止して前記情報処理装置を前記第２の電力モードへ移行させる制御手段とを有し、
前記第１の電力モードへ復帰するための条件が成立した場合に、
前記制御手段は、前記第２の記憶手段への電力の供給を再開して前記情報処理装置を前記第１の電力モードへ移行させ、
前記転送手段は、前記プログラム記憶手段に記憶された前記ハイバーネーションイメージを前記第２の記憶手段へ転送し、
前記第２の演算手段は、前記ハイバーネーションイメージが前記第２の記憶手段に転送されたことに応じて、該転送されたハイバーネーションイメージに基づいて、前記第２のプログラムを実行することを特徴とする情報処理装置。
【請求項９】
前記第１の演算手段による前記第１の記憶手段へのアクセス速度は、前記第１の演算手段による前記プログラム記憶手段へのアクセス速度より高く、
前記第２の演算手段による前記第２の記憶手段へのアクセス速度は、前記第２の演算手段による前記プログラム記憶手段へのアクセス速度より高いことを特徴とする請求項８に記載の情報処理装置。
【請求項１０】
前記プログラム記憶手段に記憶された前記ハイバーネーションイメージを前記第２の記憶手段に転送するのに要する時間は、前記プログラム記憶手段に記憶された前記第２のプログラムを前記第２の記憶手段にロードするのに要する時間より短いことを特徴とする請求項８又は９に記載の情報処理装置。
【請求項１１】
前記プログラム記憶手段は、前記第１のプログラムを記憶する第１のプログラム記憶部と前記第２のプログラムを記憶する第２のプログラム記憶部とを含み、
前記第１の演算手段は、前記第１のプログラム記憶部から前記第１の記憶手段に前記第１のプログラムをロードし、
前記第２の演算手段は、前記第２のプログラム記憶部から前記第２の記憶手段に前記第２のプログラムをロードすることを特徴とする請求項８乃至１０のいずれか１項に記載の情報処理装置。
【請求項１２】
前記第１のプログラム及び前記第２のプログラムは、圧縮された状態で前記プログラム記憶手段に記憶されており、
前記第１の演算手段は、前記圧縮された状態で記憶された前記第１のプログラムを伸張した上で前記第１の主記憶装置に前記第１のプログラムをロードし、
前記第２の演算手段は、前記圧縮された状態で記憶された前記第２のプログラムを伸張した上で前記第２の主記憶装置に前記第２のプログラムをロードすることを特徴とする請求項８乃至１０のいずれか１項に記載の情報処理装置。
【請求項１３】
前記第１の記憶手段は、揮発性の記憶手段であり、
前記制御手段は、前記転送手段により前記ハイバーネーションイメージが前記プログラム記憶手段に転送された後に、前記第１の記憶手段への電力供給を維持する一方で前記第２の記憶手段への電力供給を停止するよう制御することを特徴とする請求項８乃至１２のいずれか１項に記載の情報処理装置。
【請求項１４】
前記第１の演算手段は、前記第１の電力モードへ復帰するための条件が成立した場合に、前記第１の記憶手段に記憶された前記第１のプログラムを実行することを特徴とする請求項８乃至１３のいずれか１項に記載の情報処理装置。
【請求項１５】
第１の電力モードと当該第１の電力モードより消費電力が少ない第２の電力モードとを備える情報処理装置であって、
第１のプログラム及び第２のプログラムを記憶する不揮発性のプログラム記憶手段と、
前記プログラム記憶手段から第１の記憶手段にロードされた前記第１のプログラムを実行する第１の演算手段と、
前記プログラム記憶手段から揮発性の第２の記憶手段にロードされた前記第２のプログラムを実行する第２の演算手段と、
前記第２の電力モードへ移行するための条件が成立した場合に、前記第２のプログラムを前記プログラム記憶手段から前記第１の記憶手段に転送する転送手段と、
前記第２の電力モードへ移行するための条件が成立した場合に、前記第２の記憶手段への電力供給を停止して前記情報処理装置を前記第２の電力モードへ移行させる制御手段とを有し、
前記第１の電力モードへ復帰するための条件が成立した場合に、
前記制御手段は、前記第２の記憶手段への電力の供給を再開して前記情報処理装置を前記第１の電力モードへ移行させ、
前記転送手段は、前記第１の記憶手段に記憶された前記第２のプログラムを前記第２の記憶手段に転送し、
前記第２の演算手段は、前記第２のプログラムが前記第２の記憶手段に転送されたことに応じて、前記第２のプログラムを実行することを特徴とする情報処理装置。
【請求項１６】
前記第１の演算手段による前記第１の記憶手段へのアクセス速度は、前記第１の演算手段による前記プログラム記憶手段へのアクセス速度より高く、
前記第２の演算手段による前記第２の記憶手段へのアクセス速度は、前記第２の演算手段による前記プログラム記憶手段へのアクセス速度より高いことを特徴とする請求項１５に記載の情報処理装置。
【請求項１７】
前記第１の記憶手段に記憶された前記第２のプログラムを前記第２の記憶手段に転送するのに要する時間は、前記プログラム記憶手段に記憶された前記第２のプログラムを前記第２の記憶手段にロードするのに要する時間より短いことを特徴とする請求項１５又は１６に記載の情報処理装置。
【請求項１８】
前記プログラム記憶手段は、前記第１のプログラムを記憶する第１のプログラム記憶部と前記第２のプログラムを記憶する第２のプログラム記憶部とを含み、
前記第１の演算手段は、前記第１のプログラム記憶部から前記第１の記憶手段に前記第１のプログラムをロードし、
前記第２の演算手段は、前記第２のプログラム記憶部から前記第２の記憶手段に前記第２のプログラムをロードすることを特徴とする請求項１５乃至１７のいずれか１項に記載の情報処理装置。
【請求項１９】
前記第１のプログラム及び前記第２のプログラムは、圧縮された状態で前記プログラム記憶手段に記憶されており、
前記第１の演算手段は、前記圧縮された状態で記憶された前記第１のプログラムを伸張した上で前記第１の記憶手段に前記第１のプログラムをロードし、
前記第２の演算手段は、前記圧縮された状態で記憶された前記第２のプログラムを伸張した上で前記第２の記憶手段に前記第２のプログラムをロードすることを特徴とする請求項１５乃至１８のいずれか１項に記載の情報処理装置。
【請求項２０】
前記第１の記憶手段は、揮発性の記憶手段であり、
前記制御手段は、前記転送手段により前記第２のプログラムが前記第１の記憶手段に転送された後に、前記第１の記憶手段への電力供給を維持する一方で前記第２の記憶手段への電力供給を停止するよう制御することを特徴とする請求項１５乃至１９のいずれか１項に記載の情報処理装置。
【請求項２１】
前記第１の演算手段は、前記第１の電力モードへ復帰するための条件が成立した場合に、前記第１の記憶手段に記憶された前記第１のプログラムを実行することを特徴とする請求項１５乃至２０のいずれか１項に記載の情報処理装置。
【請求項２２】
第１の電力モードと当該第１の電力モードより消費電力が少ない第２の電力モードとを備え、
第１のプログラム及び第２のプログラムを記憶する不揮発性のプログラム記憶手段と、
前記プログラム記憶手段から第１の記憶手段にロードされた前記第１のプログラムを実行する第１の演算手段と、
前記プログラム記憶手段から揮発性の第２の記憶手段にロードされた前記第２のプログラムを実行する第２の演算手段とを備える情報処理装置における情報処理方法であって、
第２の電力モードへ移行するための条件が成立した場合に、前記第２のプログラムを前記第２の記憶手段から前記第１の記憶手段に転送する第１の転送工程と、
前記第１の転送工程により前記第２のプログラムが前記第１の記憶手段に転送された後に、前記第２の記憶手段への電力供給を停止して前記情報処理装置を前記第２の電力モードへ移行させる第２の電力モード移行工程と、
第１の電力モードへ復帰するための条件が成立した場合に、前記第２の記憶手段への電力供給を再開して前記情報処理装置を前記第１の電力モードへ移行させる第１の電力モード移行工程と、
前記第１の電力モード移行工程により前記情報処理装置が前記第１の電力モードへ移行したことに応じて、前記第１の記憶手段に記憶された前記第２のプログラムを前記第２の記憶手段に転送する第２の転送工程と、
前記第２の転送工程により前記第２のプログラムが前記第２の記憶手段に転送されたことに応じて、前記第２のプログラムを前記第２の演算手段が実行する第２の演算工程と、を有することを特徴とする情報処理方法。
【請求項２３】
第１の電力モードと当該第１の電力モードより消費電力が少ない第２の電力モードとを備え、
第１のプログラム及び第２のプログラムを記憶する不揮発性のプログラム記憶手段と、
前記プログラム記憶手段から第１の記憶手段にロードされた前記第１のプログラムを実行する第１の演算手段と、
前記プログラム記憶手段から揮発性の第２の記憶手段にロードされた前記第２のプログラムを実行する第２の演算手段とを備える情報処理装置における情報処理方法であって、
第２の電力モードへ移行するための条件が成立した場合に、前記第２の記憶手段に記憶された前記第２のプログラムを含むハイバーネーションイメージを前記プログラム記憶手段に転送する第１の転送工程と、
前記第１の転送工程により前記ハイバーネーションイメージが前記プログラム記憶手段に転送された後に、前記第２の記憶手段への電力供給を停止して前記情報処理装置を前記第２の電力モードへ移行させる第２の電力モード移行工程と、
第１の電力モードへ復帰するための条件が成立した場合に、前記第２の記憶手段への電力の供給を再開して前記情報処理装置を前記第１の電力モードへ移行させる第１の電力モード移行工程と、
前記第１の電力モード移行工程により前記情報処理装置が前記第１の電力モードへ移行したことに応じて、前記プログラム記憶手段に記憶された前記ハイバーネーションイメージを前記第２の記憶手段へ転送する第２の転送工程と、
前記第２の転送工程により前記ハイバーネーションイメージが前記第２の記憶手段に転送されたことに応じて、前記第２の演算手段が前記ハイバーネーションイメージに基づいて前記第２のプログラムを実行する第２の演算工程と、
を有することを特徴とする情報処理方法。
【請求項２４】
第１の電力モードと当該第１の電力モードより消費電力が少ない第２の電力モードとを備え、
第１のプログラム及び第２のプログラムを記憶する不揮発性のプログラム記憶手段と、
前記プログラム記憶手段から第１の記憶手段にロードされた前記第１のプログラムを実行する第１の演算手段と、
前記プログラム記憶手段から揮発性の第２の記憶手段にロードされた前記第２のプログラムを実行する第２の演算手段とを備える情報処理装置における情報処理方法であって、
第２の電力モードへ移行するための条件が成立した場合に、前記第２のプログラムを前記プログラム記憶手段から前記第１の記憶手段に転送する第１の転送工程と、
第２の電力モードへ移行するための条件が成立した場合に、前記第２の記憶手段への電力供給を停止して前記情報処理装置を前記第２の電力モードへ移行させる第２の電力モード移行工程と、
第１の電力モードへ復帰するための条件が成立した場合に、前記第２の記憶手段への電力供給を再開して前記情報処理装置を前記第１の電力モードへ移行させる第１の電力モード移行工程と、
前記第１の電力モード移行工程により前記情報処理装置が前記第１の電力モードへ移行したことに応じて、前記第１の記憶手段に記憶された前記第２のプログラムを前記第２の記憶手段に転送する第２の転送工程と、
前記第２の転送工程により前記第２のプログラムが前記第２の記憶手段に転送されたことに応じて、前記第２のプログラムを前記第２の演算手段が実行する第２の演算工程と、を有することを特徴とする情報処理方法。
【手続補正２】
【補正対象書類名】明細書
【補正対象項目名】００１１
【補正方法】変更
【補正の内容】
【００１１】
上記の目的を達成するために本発明に係る情報処理装置は以下のような構成を備える。即ち、
第１の電力モードと当該第１の電力モードより消費電力が少ない第２の電力モードとを備える情報処理装置であって、
第１のプログラム及び第２のプログラムを記憶する不揮発性のプログラム記憶手段と、
前記プログラム記憶手段から第１の記憶手段にロードされた前記第１のプログラムを実行する第１の演算手段と、
前記プログラム記憶手段から揮発性の第２の記憶手段にロードされた前記第２のプログラムを実行する第２の演算手段と、
前記第２の電力モードへ移行するための条件が成立した場合に、前記第２のプログラムを前記第２の記憶手段から前記第１の記憶手段に転送する転送手段と、
前記転送手段により前記第２のプログラムが前記第１の記憶手段に転送された後に、前記第２の記憶手段への電力供給を停止して前記情報処理装置を前記第２の電力モードへ移行させる制御手段とを有し、
前記第１の電力モードへ復帰するための条件が成立した場合に、
前記制御手段は、前記第２の記憶手段への電力の供給を再開して前記情報処理装置を前記第１の電力モードへ移行させ、
前記転送手段は、前記第１の記憶手段に記憶された前記第２のプログラムを前記第２の記憶手段に転送し、
前記第２の演算手段は、前記第２のプログラムが前記第２の記憶手段に転送されたことに応じて、前記第２のプログラムを実行することを特徴とする。